(57)【要約】【課題】  簡易な構成で且つ製造コストの増加を抑制しつつ画像形成媒体の弛みを形成可能な搬送装置を提供する。【解決手段】  送り出しローラ対１３の下流側に設けられたループ形成領域Ｌの上方には、回転自在に支持された２つの回転ローラ１８が配置されている。感光材料Ｐの先端部がチャッカ装置１４の挟持部１４ａで挟持された状態で、導入ローラ対１１及び送り出しローラ対１３が回転駆動されると、ループ形成領域Ｌの上方の感光材料Ｐは、その巻き癖によって、搬送経路よりも上方に弛み、２つの回転ローラ１８に当接するようになる。すると、感光材料Ｐの腰が折られ、その後は、感光材料Ｐの弛みがループ形成領域Ｌで形成される。【選択図】図３
2007022777.tif 000002
【特許請求の範囲】
【請求項１】
画像形成媒体の画像形成面が外側になるように巻回された巻回部から引き出された画像形成媒体を挟持して搬送可能な送り出しローラ対と、
前記送り出しローラ対よりも搬送方向下流側に配置されており、画像形成媒体を挟持可能な挟持部と、
前記送り出しローラ対と前記挟持部との間における画像形成媒体の搬送経路に対して画像形成面側の所定位置に配置された弛み形成部材とを備えていることを特徴とする搬送装置。
【請求項２】
前記弛み形成部材は、前記所定位置で回転自在に支持された回転ローラであることを特徴とする請求項１に記載の搬送装置。
【請求項３】
前記送り出しローラ対と前記挟持部との間における画像形成媒体の搬送経路を挟んで前記弛み形成部材と対向するように配置された弛み形成領域が設けられていることを特徴とする請求項１または２に記載の搬送装置。
【発明の詳細な説明】
【技術分野】
【０００１】
本発明は、長尺の画像形成媒体を搬送する搬送装置に関するものである。
【背景技術】
【０００２】
写真処理装置でロール状の感光材料に対する露光処理が行われる場合には、感光材料がプリントサイズに切断された後で露光処理が行われることが多い。ここで、感光材料を切断する切断部と露光処理を行う露光部との距離が短い場合には、露光部での感光材料に対する露光処理と並行して、切断部で感光材料を切断しなければならないことがある。このような場合には、感光材料が切断される際の振動が、露光部で露光処理が行われている感光材料に伝わり、感光材料に形成される画像の品質が悪化するという問題が発生する。
【０００３】
そこで、切断部と露光部との間において感光材料の弛み（ループ）が形成される写真処理装置が知られている。この写真処理装置では、切断部と露光部との間で感光材料の弛みが形成された状態で、感光材料に対して露光処理が行われる。そのため、感光材料の弛みよりも上流側に配置されたカッターで感光材料が切断された場合でも、切断時の振動が露光位置の感光材料に伝わりにくくなり、画像品質の悪化が抑制される。
【０００４】
ここで、感光材料の弛みを形成可能な搬送装置としては、感光材料に当接しつつ移動可能なガイドローラや揺動部材を備えたものがある（例えば、特許文献１、２参照）。この搬送装置では、ガイドローラ等が当接することにより感光材料に力が加わり、感光材料の弛みはガイドローラ等の移動方向に形成される。また、その他の搬送装置には、エアーを吐出または吸引可能なノズルを備えたものがある。この搬送装置では、例えばエアーがノズルから感光材料に向かって吐出されることにより感光材料に力が加わり、感光材料の弛みはエアーの吐出方向に形成される。
【特許文献１】特開２００３−８４３７４号公報（図２）
【特許文献２】特開平１１−１０９５９７号公報（図４）
【発明の開示】
【発明が解決しようとする課題】
【０００５】
しかしながら、ガイドローラ等を備えた搬送装置では、ガイドローラ等を移動させるための構成が必要であり、装置構成が複雑になってしまう。また、エアーを吐出または吸引するノズルを備えた搬送装置では、エアー吐出装置またはエアー吸引装置が必要であり、製造コストが増加してしまう。
【０００６】
そこで、本発明の目的は、簡易な構成で且つ製造コストの増加を抑制しつつ画像形成媒体の弛みを形成可能な搬送装置を提供することである。
【課題を解決するための手段および発明の効果】
【０００７】
本発明の搬送装置は、画像形成媒体の画像形成面が外側になるように巻回された巻回部から引き出された画像形成媒体を挟持して搬送可能な送り出しローラ対と、前記送り出しローラ対よりも搬送方向下流側に配置されており、画像形成媒体を挟持可能な挟持部と、前記送り出しローラ対と前記挟持部との間における画像形成媒体の搬送経路に対して画像形成面側の所定位置に配置された弛み形成部材とを備えている。
【０００８】
ここで、「前記送り出しローラ対と前記挟持部との間における画像形成媒体の搬送経路」とは、送り出しローラ対及び挟持部が画像形成媒体を挟持し、送り出しローラ対と挟持部との間で画像形成媒体が張った状態における画像形成媒体の搬送経路を示す。また、「画像形成媒体を挟持可能な挟持部」は、送り出しローラ対が回転駆動された場合に、送り出しローラ対と挟持部との間で画像形成媒体の弛みが形成されるように、送り出しローラ対よりも搬送方向下流側で画像形成媒体を挟持可能なものであればよい。従って、挟持部は、画像形成媒体を挟持し且つ画像形成媒体を搬送しない状態で保持するものであってもよいし、画像形成媒体を挟持し且つ画像形成媒体を送り出しローラ対よりも遅い搬送速度で搬送するものであってもよい。
【０００９】
この構成によると、送り出しローラ対と挟持部との間で画像形成媒体が張った状態で、送り出しローラ対が回転駆動されると共に、挟持部が画像形成媒体を挟持し且つ画像形成媒体を搬送しない状態で保持している場合には、画像形成媒体の巻き癖によって、画像形成媒体が画像形成面側に弛み始めるが、このとき、画像形成媒体の弛みが少し形成された段階で、画像形成媒体が弛み形成部材に当接する。すると、画像形成媒体の腰が折られ、画像形成媒体の弛みが画像形成面と反対側に形成されるようになる。このように、弛み形成部材を画像形成媒体の搬送経路に対して画像形成面側の所定位置に配置するだけで、画像形成媒体の弛みを形成可能である。従って、装置構成の複雑化及び製造コストの増加を抑制することができる。なお、挟持部が画像形成媒体を挟持し且つ画像形成媒体を送り出しローラ対よりも遅い搬送速度で搬送する場合も同様である。
【００１０】
本発明の写真処理装置において、前記弛み形成部材は、前記所定位置で回転自在に支持された回転ローラであってもよい。
【００１１】
この構成によると、画像形成媒体が弛み形成部材に当接した場合でも、弛み形成部材である回転ローラは回転自在に支持されているので、画像形成媒体の損傷が抑制される。
【００１２】
本発明の写真処理装置において、前記送り出しローラ対と前記挟持部との間における画像形成媒体の搬送経路を挟んで前記弛み形成部材と対向するように配置された弛み形成領域が設けられていてもよい。
【００１３】
この構成によると、画像形成媒体の弛みが画像形成面と反対側の領域で必要な長さだけ形成可能になる。
【発明を実施するための最良の形態】
【００１４】
以下、本発明の好適な実施の形態について、図面を参照しつつ説明する。図１は、本発明の実施の形態に係る写真処理装置の概略構成を示す図である。
【００１５】
図１に示す写真処理装置１は、長尺な感光材料Ｐを所定長さに切断し、切断された感光材料Ｐを露光処理するプリンタ部Ａと、プリンタ部Ａによって露光処理が施されて乳剤面に潜像が形成された感光材料Ｐを現像液に浸漬させて現像処理し乾燥させるプロセッサ部Ｂと、プリンタ部Ａで露光処理された感光材料Ｐを並列状態に配置しプロセッサ部Ｂに搬送する連結部Ｃとを有している。なお、プリンタ部Ａ、プロセッサ部Ｂ及び連結部Ｃは、同一筐体により形成されている。
【００１６】
プリンタ部Ａにおける筐体外部の上部には、写真処理装置１の処理状況等が表示されるモニター５と、顧客が持参してきたコンパクトディスクやメモリーカード等に記憶された画像データを読み取る読取装置６とが設けられている。また、プリンタ部Ａの内部には、読取装置６により読み取られた画像データを一時的に記憶すると共に写真処理装置１の各部の制御を行う制御部７と、乳剤面が外側になるようにロール状に巻回された長尺の感光材料Ｐを軸周りに回転可能に枢支して収容するマガジン８と、マガジン８から引き出された感光材料Ｐを所定長さに切断した後、感光材料Ｐを水平方向に搬送するペーパー供給部１０と、ペーパー供給部１０から受け取った感光材料Ｐを副走査方向に搬送する露光搬送部２０と、露光搬送部２０で搬送される感光材料Ｐの乳剤面に露光処理（いわゆる走査露光）を行うレーザ走査型の露光部２８とを備えている。
【００１７】
プロセッサ部Ｂは、露光処理が施された感光材料Ｐを現像液に浸漬させて現像処理する現像処理ユニット３０と、現像処理ユニット３０で現像処理された感光材料Ｐを乾燥させる乾燥ユニット４０とを有している。現像処理ユニット３０には、複数の槽からなる現像処理槽３１と、感光材料Ｐの現像処理槽３１への浸漬と引き上げとを行えるように適宜配設されて並列状態にある複数のローラ対３２とが設けられている。現像処理槽３１の複数の槽には現像液が入れられており、プロセッサ部Ｂでは、露光処理が施された並列状態の感光材料Ｐが複数のローラ対３２によって並列状態を維持したまま、各槽の現像液への浸漬と現像液からの引き上げとが繰り返される。その後、乾燥装置４０へと搬送されて乾燥処理が行われ、現像液の浸漬による感光材料の濡れが乾燥される。
【００１８】
次に、ペーパー供給部１０及び露光搬送部２０の構成について、図２を参照して説明する。図２は、図１の写真処理装置のペーパー供給部及び露光搬送部の構成を示す図である。
【００１９】
ペーパー供給部１０は、図２に示すように、感光材料Ｐを切断するカッター１２と、マガジン８から引き出された感光材料Ｐをカッター１２の切断位置に搬送する導入ローラ対１１と、カッター１２の下流側に配置された送り出しローラ対１３と、感光材料Ｐを挟んで水平方向に搬送するチャッカ装置１４とを有している。
【００２０】
導入ローラ対１１は、駆動ローラ１１ａと、駆動ローラ１１ａとの間で感光材料Ｐを挟持する２つの従動ローラ１１ｂ、１１ｃとを有している。駆動ローラ１１ａは、制御部７に接続されたモータ（図示しない）からの駆動力により回転駆動される。
【００２１】
カッター１２は、感光材料Ｐをプリントサイズに切断するための固定刃１２ａと可動刃１２ｂとを有している。固定刃１２ａは、感光材料Ｐの搬送経路の下方に固定されており、可動刃１２ｂは、制御部７に接続されたモータ（図示しない）からの駆動力により固定刃１２ａに向かって上下に移動可能である。
【００２２】
送り出しローラ対１３は、駆動ローラ１３ａと、駆動ローラ１３ａとの間で感光材料Ｐを挟持する従動ローラ１３ｂとを有している。駆動ローラ１３ａは、制御部７に接続されたモータ（図示しない）からの駆動力により回転駆動される。
【００２３】
チャッカ装置１４は、感光材料Ｐの先端部を露光搬送部２０に供給するためのものである。チャッカ装置１４には、感光材料Ｐの先端部を挟む挟持部１４ａが設けられており、挟持部１４ａを保持するキャリア１４ｂは、移動軸１４ｃに沿って水平方向に移動可能である。従って、キャリア１４ｂが送り出しローラ対１３近傍に配置された状態（図２の状態）で、挟持部１４ａにより感光材料Ｐの先端部が挟持された後で、キャリア１４ｂが露光搬送部２０に向かって移動することによって、感光材料Ｐの先端部を露光搬送部２０に送り込むことが可能である。
【００２４】
また、ペーパー供給部１０の送り出しローラ対１３の下流側には、感光材料Ｐの搬送経路の下方に配置されたループ形成領域Ｌが設けられている。つまり、ペーパー供給部１０では、送り出しローラ対１３の下流側に水平ガイド１５が設けられると共に、露光搬送部２０の受け入れローラ２１の上流側に水平ガイド１７が設けられている。そして、水平ガイド１５と水平ガイド１７とは離隔しており、水平ガイド１５の端部から斜め下方向に延在する傾斜ガイド１６が設けられている。従って、水平ガイド１５と水平ガイド１７との間であり且つ傾斜ガイド１６の上方の領域がループ形成領域Ｌになる。
【００２５】
また、ループ形成領域Ｌの上方には、支持部材（図示しない）によって回転自在に支持された２つの回転ローラ１８が配置されている。２つの回転ローラ１８は、感光材料Ｐの搬送経路よりも上方に配置されている。そのため、２つの回転ローラ１８は、感光材料Ｐが水平状態である場合には感光材料Ｐに当接しない。また、２つの回転ローラ１８は、感光材料Ｐの搬送経路の幅方向中心位置に対して対称となる位置に配置されている。つまり、２つの回転ローラ１８は、図２では紙面に垂直な方向に離隔して配置されている。
【００２６】
２つの回転ローラ１８は、感光材料Ｐの弛みがループ形成領域Ｌで形成されるようにするためのものである。つまり、感光材料Ｐの先端部がチャッカ装置１４の挟持部１４ａで挟持された状態で、送り出しローラ対１３の回転駆動が開始された場合には、感光材料Ｐの巻き癖によって、感光材料Ｐが搬送経路よりも上方に弛み始める。そして、感光材料Ｐの弛みが少し形成された段階で、感光材料Ｐが２つの回転ローラ１８に当接し、感光材料Ｐの腰が折られ、感光材料Ｐの弛みが搬送経路よりも下方のループ形成領域Ｌで形成されるようになる。ここで、感光材料Ｐが２つの回転ローラ１８に当接した場合でも、回転ローラ１８は回転自在に支持されているので、感光材料Ｐの損傷が抑制される。
【００２７】
露光搬送部２０は、ペーパー供給部１０から供給された感光材料Ｐを受け入れる受け入れローラ対２１と、露光部２８による露光位置での感光材料Ｐの搬送速度を支配する２つの露光搬送ローラ対２５、２６とを有している。
【００２８】
受入れローラ対２１は、駆動ローラ２１ａと、駆動ローラ２１ａとの間で感光材料Ｐを挟持する挟持位置及び感光材料Ｐを挟持しない開放位置のいずれかの位置を取り得る従動ローラ２１ｂとを有している。受入れローラ対２１の駆動ローラ２１ａは、制御部７に接続されたモータ（図示しない）からの駆動力により回転駆動される。一方、従動ローラ２１ｂは、制御部７からの制御信号に基づいて挟持位置及び開放位置のいずれかに切り換えられる。
【００２９】
露光搬送ローラ対２５、２６は、露光位置の上流側及び下流側にそれぞれ配置されており、露光位置の感光材料Ｐを一定速度で搬送可能である。露光搬送ローラ対２５、２６は、駆動ローラ２５ａ、２６ａと、駆動ローラ２５ａ、２６ａとの間で感光材料Ｐを挟持する挟持位置及び感光材料Ｐを挟持しない開放位置のいずれかの位置を取り得る従動ローラ２５ｂ、２６ｂとをそれぞれ有している。露光搬送ローラ対２５、２６の駆動ローラ２５ａ、２６ａは、制御部７に接続されたモータ（図示しない）からの駆動力によりそれぞれ回転駆動される。一方、従動ローラ２５ｂ、２６ｂは、制御部７からの制御信号に基づいて挟持位置及び開放位置のいずれかに切り換えられる。
【００３０】
次に、ペーパー搬送部１０及び露光搬送部２０を感光材料Ｐが搬送される場合の動作について、図３を参照して説明する。図３は、ペーパー搬送部及び露光搬送部を感光材料Ｐが搬送される場合の動作を示す図である。
【００３１】
マガジン８から引き出された感光材料Ｐが導入ローラ対１１で搬送され、図３（ａ）に示すように、感光材料Ｐの先端部が送り出しローラ対１３から設定量だけ送り出されたタイミングで、感光材料Ｐの送り出しが停止され、感光材料Ｐの先端部がチャッカ装置１４の挟持部１４ａで挟持される。図３では、チャッカ装置１４の挟持部１４ａで感光材料Ｐが挟持される様子が模式的に図示されている。
【００３２】
そして、感光材料Ｐの先端部が挟持部１４ａで挟持された状態で、キャリア１４ｂが露光搬送部２０に向かって移動すると共に、この移動速度で、導入ローラ対１１及び送り出しローラ対１３によって感光材料Ｐが下流側へと送り出される。すると、図３（ｂ）に示すように、挟持部１４ａで挟持された感光材料Ｐの先端部が受入れローラ２１の駆動ローラ２１ａと従動ローラ２１ｂとの間に送り込まれる。このとき、受入れローラ２１、露光搬送ローラ対２５、２６は開放状態になっている。
【００３３】
このように、感光材料Ｐの先端部が受入れローラ２１に送り込まれ、感光材料Ｐの先端部が挟持部１４ａで挟持された状態で、導入ローラ対１１及び送り出しローラ対１３が回転駆動されると、ループ形成領域Ｌの上方に搬送された感光材料Ｐは、その巻き癖によって、図３（ｃ）に示すように、搬送経路よりも上方に弛み、２つの回転ローラ１８に当接するようになる。
【００３４】
すると、感光材料Ｐが２つの回転ローラ１８に当接した部分に下方に向かう力が加わることによって、感光材料Ｐの腰が折られて、感光材料Ｐは搬送経路よりも下方に弛むようになる。その後、導入ローラ対１１及び送り出しローラ対１３が回転駆動されると、図３（ｄ）に示すように、感光材料Ｐの弛みがループ形成領域Ｌで形成される。
【００３５】
ループ形成領域Ｌにおいて、予め設定された量の弛みが形成されると、図３（ｅ）に示すように、受け入れローラ対２１で感光材料Ｐの先端部が挟持されると共に、挟持部１４ａでの挟持が解除されると共に、受入れローラ対２１の従動ローラ２１ｂが挟持位置に移動し、受入れローラ対２１が挟持状態に切り換えられる。その後、受入れローラ対２１によって感光材料Ｐの先端部が挟持され、感光材料Ｐの搬送が開始される。
【００３６】
感光材料Ｐの先端部が、図３（ｆ）に示すように、露光搬送ローラ対２５の駆動ローラ２５ａと従動ローラ２５ｂとの間に送り込まれると、図３（ｇ）に示すように、露光搬送ローラ対２５の従動ローラ２５ｂが挟持位置に移動し、露光搬送ローラ対２５が挟持状態に切り換えられると共に、受入れローラ対２１の従動ローラ２１ｂが開放位置に移動し、受け入れローラ対２１での挟持が解除される。
【００３７】
引き続き、露光搬送ローラ対２５で感光材料Ｐの先端部が挟持されることによって感光材料Ｐが搬送される。このとき、露光搬送ローラ対２５で搬送される感光材料Ｐに対する露光処理が開始される。そして、感光材料Ｐの先端部が、露光搬送ローラ対２６の駆動ローラ２６ａと従動ローラ２６ｂとの間に送り込まれると、図３（ｈ）に示すように、露光搬送ローラ対２６の従動ローラ２６ｂが挟持位置に移動し、露光搬送ローラ対２６が挟持状態に切り換えられる。なお、感光材料Ｐに対する露光処理は、露光搬送ローラ対２６が挟持状態に切り換えられた後も、露光搬送ローラ対２５、２６で搬送される感光材料Ｐに対して継続して行われる。
【００３８】
このとき、受け入れローラ対２１は開放状態になっている。なお、露光搬送ローラ対２５、２６による搬送と同期した速度で、導入ローラ対１１及び送り出しローラ対１３が同期駆動されることにより、ループ形成領域Ｌに形成される感光材料Ｐの弛みが所定量に維持される。
【００３９】
そして、感光材料Ｐに対する露光処理が行われているときに、感光材料Ｐのカット位置がカッター１２の切断位置に到達すると、導入ローラ対１１及び送り出しローラ対１３が一時停止され、図３（ｉ）に示すように、カッター１２によって感光材料Ｐが切断される。ここで、感光材料Ｐが切断される直前に、受け入れローラ対２１の従動ローラ２１ｂが挟持位置に移動し、受入れローラ対２１が挟持状態に切り換えられる。
【００４０】
感光材料Ｐの切断が終了すると、図３（ｊ）に示すように、受け入れローラ対２１の従動ローラ２１ｂが開放位置に移動し、受入れローラ対２１が挟持状態から開放状態に切り換えられる。そして、引き続き、露光搬送ローラ対２５、２６で搬送される感光材料Ｐに対する露光処理が行われると共に、送り出しローラ対１３で感光材料Ｐが搬送される。その後、感光材料Ｐの後端部が送り出しローラ対１３を通過する直前に、図３（ｋ）に示すように、受け入れローラ対２１の従動ローラ２１ｂが挟持位置に移動し、受入れローラ対２１が開放状態から挟持状態に切り換えられる。
【００４１】
そして、感光材料Ｐの後端部がループ形成領域Ｌを搬送されている間は、図３（ｌ）に示すように、受け入れローラ対２１は挟持状態に維持される。このとき、受け入れローラ対２１は、露光搬送ローラ対２５、２６と同じ速度で感光材料Ｐを搬送するのが好ましい。その後、感光材料Ｐの後端部が、図３（ｍ）に示すように、ループ形成領域Ｌを通過すると、受け入れローラ対２１の従動ローラ２１ｂが開放位置に移動し、受入れローラ対２１が挟持状態から開放状態に切り換えられる。
【００４２】
引き続き、露光搬送ローラ対２５、２６で搬送される感光材料Ｐに対する露光処理が行われ、図３（ｎ）に示すように、感光材料Ｐの後端部が露光搬送ローラ対２５を通過する直前に、露光搬送ローラ対２５の従動ローラ２５ｂが開放位置に移動し、露光搬送ローラ対２５が挟持状態から開放状態に切り換えられる。その後、露光搬送ローラ対２６で搬送される感光材料Ｐに対する露光処理が行われ、図３（ｏ）に示すように、感光材料Ｐの後端部近傍に対する露光処理が終了すると、露光搬送ローラ対２６の従動ローラ２６ｂが開放位置に移動し、露光搬送ローラ対２６が挟持状態から開放状態に切り換えられる。その後、露光処理が終了した感光材料Ｐは、露光搬送部２０より下流側の連結部Ｃのローラ対３２によって搬送される。このとき、露光処理が終了した感光材料Ｐは露光搬送部２０では挟持されていないので、連結部Ｃのローラ対３２によって比較的高速で搬送することが可能になる。
【００４３】
なお、本実施の形態では、露光部２８で感光材料Ｐに対する露光処理が行われているときは、通常、受け入れローラ２１は開放状態になっている。そして、感光材料Ｐが切断される直前、感光材料Ｐの後端部が送り出しローラ対１３を通過する直前及び感光材料Ｐの後端部がループ形成領域Ｌを搬送されている間だけ、受け入れローラ２１は挟持状態に切り換えられる。このように、受け入れローラ２１で感光材料Ｐを挟持する時間を極力短くすることによって、露光処理が行われている感光材料Ｐが、露光搬送ローラ対２５、２６に挟持されるだけでなく、受け入れローラ２１に挟持されることにより搬送ムラが発生するのが抑制される。また、受け入れローラ２１の搬送力は、露光搬送ローラ対２５、２６の搬送力よりも小さくてもよい。この場合には、露光位置での搬送ばらつきが小さくなり、画像の品質が向上する。
【００４４】
以上説明したように、本実施の形態に係る写真処理装置１では、送り出しローラ対１３とチャッカ装置１４の挟持部１４ａとの間で感光材料Ｐが張った状態で、送り出しローラ対１３が回転駆動された場合には、感光材料Ｐの巻き癖によって、感光材料Ｐが乳剤面側に弛み始めるが、このとき、感光材料Ｐの弛みが少し形成された段階で、感光材料Ｐが２つの回転ローラ１８に当接する。すると、感光材料Ｐの腰が折られ、感光材料Ｐの弛みが乳剤面と反対側に形成されるようになる。このように、２つの回転ローラ１８を感光材料Ｐの搬送経路に対して乳剤面側の所定位置に配置するだけで、感光材料Ｐの弛みを形成可能である。従って、装置構成の複雑化及び製造コストの増加を抑制することができる。
【００４５】
また、感光材料Ｐが２つの回転ローラ１８に当接した場合でも、２つの回転ローラ１８は回転自在に支持されているので、感光材料Ｐの損傷が抑制される。
【００４６】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、感光材料Ｐを搬送可能なペーパー供給部１０（搬送装置）を説明しているが、その他の画像形成媒体を搬送可能な搬送装置でもよい。
【００４７】
また、上述の実施の形態では、ループ形成領域Ｌの上方には回転自在に支持された２つの回転ローラ１８が配置されているが、回転ローラの数は変更可能である。また、弛み形成部材は、回転ローラに限られず、固定された部材であってもよい。
【００４８】
また、上述の実施の形態では、チャッカ装置１４の挟持部１４ａが感光材料Ｐを挟持し且つ感光材料Ｐを搬送しない状態で保持した状態で送り出しローラ対１３が回転駆動される場合を説明しているが、受け入れローラ対２１が感光材料Ｐを挟持し且つ感光材料Ｐを搬送しない状態で保持した状態で送り出しローラ対１３が回転駆動されてもよいし、受け入れローラ対２１が感光材料Ｐを挟持し且つ感光材料Ｐを送り出しローラ対１３よりも遅い搬送速度で搬送する状態で送り出しローラ対１３が回転駆動されてもよい。
【図面の簡単な説明】
【００４９】
【図１】本発明の実施の形態に係る写真処理装置の概略構成を示す図である。
【図２】図１の写真処理装置のペーパー供給部及び露光搬送部の構成を示す図である。
【図３】ペーパー搬送部及び露光搬送部を感光材料Ｐが搬送される場合の動作を示す図である。
【符号の説明】
【００５０】
１  写真処理装置
７  制御部
１０  ペーパー供給部
１１  導入ローラ対
１２  カッター
１３  送り出しローラ対
１４  チャッカ装置
１４ａ  挟持部
１８  回転ローラ
２０  露光搬送部
２１  受け入れローラ対
２５  露光搬送ローラ対
２６  露光搬送ローラ対
２８  露光部
【図１】
2007022777.tif 000003
【図２】
2007022777.tif 000004
【図３】
2007022777.tif 000005